(57)【要約】【課題】電子掲示板等に良質のコンテンツを集めることができるとともに、電子掲示板等からブログへの閲覧の誘導を行うことができ、両者の課題を解決することのできる情報提示サーバを提供する。【解決手段】クライアントからの要求に応じてトラックバックの宛先となるアドレスを生成するアドレス生成手段と、他のサーバから上記アドレスを宛先とするトラックバックを受信するトラックバック受信手段と、受信したトラックバックを解析し、トラックバック元のサーバのアドレスを含む掲載内容をデータベースに蓄積するトラックバック解析手段と、クライアントからの要求に応じて上記データベースの蓄積内容を当該クライアントに表示させる表示手段とを備える。【選択図】図２
2008181241.tif 000002
【特許請求の範囲】
【請求項１】
クライアントからの要求に応じてトラックバックの宛先となるアドレスを生成するアドレス生成手段と、
他のサーバから上記アドレスを宛先とするトラックバックを受信するトラックバック受信手段と、
受信したトラックバックを解析し、トラックバック元のサーバのアドレスを含む掲載内容をデータベースに蓄積するトラックバック解析手段と、
クライアントからの要求に応じて上記データベースの蓄積内容を当該クライアントに表示させる表示手段とを備えたことを特徴とする情報提示サーバ。
【請求項２】
請求項１に記載の情報提示サーバにおいて、
上記アドレス生成手段は、掲載内容の一部となる情報を含んだアドレスを生成することを特徴とする情報提示サーバ。
【請求項３】
請求項２に記載の情報提示サーバにおいて、
上記アドレス生成手段は、掲載内容の一部となる情報をアドレスにパラメータとして付加することを特徴とする情報提示サーバ。
【請求項４】
請求項２に記載の情報提示サーバにおいて、
上記アドレス生成手段は、掲載内容の一部となる情報をパラメータ保存用データベースに保存するとともに、当該情報を識別するＩＤをアドレスにパラメータとして付加することを特徴とする情報提示サーバ。
【請求項５】
請求項１乃至４のいずれか一項に記載の情報提示サーバにおいて、
上記クライアントからのブログモジュールの要求に応じてブログモジュールの配信を行う手段を備えるとともに、
上記アドレス生成手段は、トラックバックの宛先となるアドレスの生成に際して、上記ブログモジュールを取得するためのブログ埋め込み用のタグを生成することを特徴とする情報提示サーバ。
【請求項６】
クライアントからの要求に応じてトラックバックの宛先となるアドレスを生成する工程と、
他のサーバから上記アドレスを宛先とするトラックバックを受信する工程と、
受信したトラックバックを解析し、トラックバック元のサーバのアドレスを含む掲載内容をデータベースに蓄積する工程と、
クライアントからの要求に応じて上記データベースの蓄積内容を当該クライアントに表示させる工程とを備えたことを特徴とする情報提示制御方法。
【請求項７】
クライアントからの要求に応じてトラックバックの宛先となるアドレスを生成する機能と、
他のサーバから上記アドレスを宛先とするトラックバックを受信する機能と、
受信したトラックバックを解析し、トラックバック元のサーバのアドレスを含む掲載内容をデータベースに蓄積する機能と、
クライアントからの要求に応じて上記データベースの蓄積内容を当該クライアントに表示させる機能とをコンピュータに実現させることを特徴とする情報提示制御プログラム。
【発明の詳細な説明】
【技術分野】
【０００１】
本発明は電子掲示板、ユーザレビュー、投票等の情報提示サーバに関する。
【背景技術】
【０００２】
アフェリエイト広告（Ｗｅｂサイト等が企業サイトへリンクを張り、閲覧者がそのリンクを経由して当該企業のサイトで会員登録したり商品を購入したりすると、リンク元サイトの主催者に報酬が支払われる仕組の広告）の普及により、質の高いコンテンツを作り出せるコンシューマは、自身のブログ（Ｗｅｂログ：日記風サイト）を作り、そこに広告を掲載して報酬を得ることができるようになってきている。
【０００３】
一方、従来からある電子掲示板、ユーザレビュー、投票等のシステムは、基本的に無償のボランティアベースでの情報提供となっている。
【０００４】
したがって、今後は質の高いコンテンツが電子掲示板等からブログへ流れてしまうことが予想される。
【０００５】
なお、出願人は出願時点までに本発明に関連する公開された先行技術文献を発見することができなかった。よって、先行技術文献情報を開示していない。
【発明の開示】
【発明が解決しようとする課題】
【０００６】
上述したように、今後は電子掲示板等の衰退が懸念されるが、一方で、ブログでの広告掲載で報酬を得るようになるには、それなりのアクセス数が必要である。一つのブログが作り出すコンテンツだけで相当数のアクセスを稼げるのは一握りのブロガー（ブログ主催者）であり、他のブロガーたちにとってはアクセス数をいかに増やすかが課題となっている。
【０００７】
本発明は上記の従来の問題点に鑑み提案されたものであり、その目的とするところは、電子掲示板等に良質のコンテンツを集めることができるとともに、電子掲示板等からブログへの閲覧の誘導を行うことができ、両者の課題を解決することのできる情報提示サーバを提供することにある。
【課題を解決するための手段】
【０００８】
上記の課題を解決するため、本発明にあっては、請求項１に記載されるように、クライアントからの要求に応じてトラックバックの宛先となるアドレスを生成するアドレス生成手段と、他のサーバから上記アドレスを宛先とするトラックバックを受信するトラックバック受信手段と、受信したトラックバックを解析し、トラックバック元のサーバのアドレスを含む掲載内容をデータベースに蓄積するトラックバック解析手段と、クライアントからの要求に応じて上記データベースの蓄積内容を当該クライアントに表示させる表示手段とを備える情報提示サーバを要旨としている。
【０００９】
また、請求項２に記載されるように、請求項１に記載の情報提示サーバにおいて、上記アドレス生成手段は、掲載内容の一部となる情報を含んだアドレスを生成するようにすることができる。
【００１０】
また、請求項３に記載されるように、請求項２に記載の情報提示サーバにおいて、上記アドレス生成手段は、掲載内容の一部となる情報をアドレスにパラメータとして付加するようにすることができる。
【００１１】
また、請求項４に記載されるように、請求項２に記載の情報提示サーバにおいて、上記アドレス生成手段は、掲載内容の一部となる情報をパラメータ保存用データベースに保存するとともに、当該情報を識別するＩＤをアドレスにパラメータとして付加するようにすることができる。
【００１２】
また、請求項５に記載されるように、請求項１乃至４のいずれか一項に記載の情報提示サーバにおいて、上記クライアントからのブログモジュールの要求に応じてブログモジュールの配信を行う手段を備えるとともに、上記アドレス生成手段は、トラックバックの宛先となるアドレスの生成に際して、上記ブログモジュールを取得するためのブログ埋め込み用のタグを生成するようにすることができる。
【００１３】
また、請求項６に記載されるように、クライアントからの要求に応じてトラックバックの宛先となるアドレスを生成する工程と、他のサーバから上記アドレスを宛先とするトラックバックを受信する工程と、受信したトラックバックを解析し、トラックバック元のサーバのアドレスを含む掲載内容をデータベースに蓄積する工程と、クライアントからの要求に応じて上記データベースの蓄積内容を当該クライアントに表示させる工程とを備える情報提示制御方法として構成することができる。
【００１４】
また、請求項７に記載されるように、クライアントからの要求に応じてトラックバックの宛先となるアドレスを生成する機能と、他のサーバから上記アドレスを宛先とするトラックバックを受信する機能と、受信したトラックバックを解析し、トラックバック元のサーバのアドレスを含む掲載内容をデータベースに蓄積する機能と、クライアントからの要求に応じて上記データベースの蓄積内容を当該クライアントに表示させる機能とをコンピュータに実現させる情報提示制御プログラムとして構成することができる。
【発明の効果】
【００１５】
本発明の情報提示サーバにあっては、ブログのトラックバック機能を利用してブログの内容の一部を電子掲示板等に投稿できるようにしているので、電子掲示板等に良質のコンテンツを集めることができるとともに、電子掲示板等からブログへの閲覧の誘導ないしはブログの誘導口の確保を行うことができ、電子掲示板等の質の向上とブログのアクセス数増加を同時に達成することができる。
【発明を実施するための最良の形態】
【００１６】
以下、本発明の好適な実施形態につき説明する。
【００１７】
<システム構成>
図１は本発明の一実施形態にかかるシステムの構成例を示す図である。
【００１８】
図１において、インターネット等のネットワーク１には掲示板サーバ２およびブログサーバ３が接続されるとともに、掲示板投稿者のクライアント４Ａ、掲示板閲覧者のクライアント４Ｂ、ブロガーのクライアント４Ｃ、ブログ閲覧者のクライアント４Ｄ等が接続されている。
【００１９】
図２は掲示板サーバ２の構成例を示す図であり、掲示板サーバ２での処理に必要なデータを格納する掲示板ＤＢ２１と、掲示板投稿者のクライアント４Ａからの要求により掲示板ＤＢ２１への記事の登録（投稿）を行う掲示板投稿部２２とを備えている。なお、掲示板によっては、投稿に際し、タイトル、本文以外にも採点評価、レーダーチャート、投票の選択等、複数のパラメータを設定するものがあり、これらの入力も併せて行われる。
【００２０】
また、掲示板サーバ２は、ブロガーのクライアント４Ｃからの要求によりトラックバックＵＲＬおよび後述するブログモジュールを取得するためのブログ埋め込み用のタグを生成して返送するトラックバックＵＲＬ／タグ生成部２３を備えている。このトラックバックＵＲＬ／タグ生成部２３は、必要に応じてパラメータ保存ＤＢ２８を使用する。
【００２１】
また、掲示板サーバ２は、ブログサーバ３からのトラックバックを受信するトラックバック受信部２４と、受信したトラックバックの宛先ＵＲＬ（トラックバックＵＲＬ）を解析し、解析結果（掲示板パラメータ）を掲示板ＤＢ２１に格納するトラックバックＵＲＬ解析部２５とを備えている。
【００２２】
また、掲示板サーバ２は、掲示板閲覧者のクライアント４Ｂからの要求に応じて掲示板ＤＢ２１から掲示板内容を返送して表示させる投稿内容表示部２６と、ブログ閲覧者のクライアント４Ｄからの要求に応じ、掲示板ＤＢ２１の掲示板パラメータからブログモジュールを生成して返送するブログモジュール配信部２７とを備えている。
【００２３】
図３は掲示板ＤＢ２１の例を示す図であり、掲示板マスタテーブル２１１と投稿データテーブル２１２と投稿者テーブル２１３とを備えている。掲示板マスタテーブル２１１は、掲示板ＩＤ、掲示板種別、掲示板名、掲示板作成日時、作成者ＩＤ等のフィールドを含んでいる。投稿データテーブル２１２は、投稿ＩＤ、掲示板ＩＤ、投稿者ＩＤ、投稿日時、タイトル、本文、作品全体評価、脚本評価、音楽評価、出演者評価、その他追加パラメータ、トラックバック元ＵＲＬ、ブログ名等のフィールドを含んでいる。投稿者テーブル２１３は、投稿者ＩＤ、パスワード、メールアドレス、ニックネーム、本名、生年月日、その他個人情報等のフィールドを含んでいる。掲示板マスタテーブル２１１と投稿データテーブル２１２は掲示板ＩＤにより相互に対応付けられ、投稿データテーブル２１２と投稿者テーブル２１３は投稿者ＩＤにより相互に対応付けられる。
【００２４】
図４はパラメータ保存ＤＢ２８の例を示す図であり、ＩＤ、パラメータ名、値等のフィールドを含んでいる。
【００２５】
<動作>
図５は上記の実施形態の動作概要を示す図である。
【００２６】
図５において、掲示板投稿者のクライアント４Ａから掲示板サーバ２に対して記事投稿が行われると（ステップＳ１）、掲示板サーバ２の掲示板投稿部２２は掲示板ＤＢ２１に投稿内容を保存する（ステップＳ２）。なお、掲示板サーバ２への記事投稿はＨＴＴＰ（Hyper Text Transfer Protocol）のＧＥＴリクエストもしくはＰＯＳＴリクエストによって行われる。記事はＨＴＭＬ（Hyper Text Markup Language）等により記述され、投稿内容はＨＴＭＬの<form>タグ内の<input>タグ等によって、タイトル、本文、評価、投稿者情報などのパラメータがクライアント４Ａから掲示板サーバ２へ送られる。
【００２７】
一方、ブロガーのクライアント４ＣからトラックバックＵＲＬの取得要求があると、掲示板サーバ２のトラックバックＵＲＬ／タグ生成部２３は、後述するトラックバックＵＲＬ生成画面の操作に応じた、トラックバックに含まれない掲示板独自のパラメータ（作品の評価内容等）を受け付け、そのパラメータを付加したトラックバックＵＲＬおよびブログ埋め込み用のタグを生成し、クライアント４Ｃに送信する（ステップＳ１１）。ＵＲＬ生成画面は、タイトル、本文以外にも採点評価、レーダーチャート、投票の選択等、複数のパラメータの設定を要する掲示板に対応するためのものである。トラックバックにはこれらのパラメータを送る機能は無いが、トラックバックＵＲＬ生成時にこれらのパラメータ情報を付加し、そこにトラックバックしてもらうことによって、掲示板に投稿したときと同等の情報を付加するようにしている。
【００２８】
ブロガーはトラックバックＵＲＬおよびブログ埋め込み用のタグを取得すると、クライアント４Ｃから自己のブログサーバ３にトラックバックＵＲＬ（パラメータ付）を設定するとともに、タグを埋め込んだブログ記事を投稿し（ステップＳ１２）、ブログサーバ３から掲示板サーバ２にトラックバック（パラメータ付）を送信する（ステップＳ１３）。
【００２９】
掲示板サーバ２のトラックバック受信部２４がこのトラックバックを受信すると、トラックバックＵＲＬ解析部２５によりトラックバックＵＲＬの解析を行い、抽出したパラメータを投稿内容として掲示板ＤＢ２１に保存する（ステップＳ１４）。
【００３０】
その後、掲示板閲覧者のクライアント４Ｂから掲示板サーバ２への閲覧要求があると、投稿内容表示部２６は掲示板ＤＢ２１からタイトル一覧、投稿内容詳細（本文、評価等）等の投稿内容（トラックバックによる入稿の場合は、トラックバック元へのリンクとブログ名を含む）を取得し（ステップＳ２１）、クライアント４Ｂに送信して表示させる（ステップＳ２２）。
【００３１】
また、ブログ閲覧者のクライアント４Ｄからブログサーバ３への閲覧要求があると、ブログサーバ３はクライアント４Ｄに記事内容を送信して表示させる（ステップＳ３１）。クライアント４Ｄではブログの記事内容の表示の過程で埋め込まれたタグを実行することで掲示板サーバ２にブログモジュールを要求し、ブログモジュール配信部２７は掲示板ＤＢ２１から掲示板パラメータを取得し（ステップＳ３２）、ブログモジュールを生成してクライアント４Ｄに送信し表示させる（ステップＳ３３）。
【００３２】
図６はブログから掲示板へのトラックバックおよび掲示板からブログへのリンクの例を示す図であり、ブログサーバ３のある記事から掲示板サーバ２にトラックバックを行うことにより、掲示板サーバ２にブログの記事の概要および掲示板パラメータが投稿内容として反映される。また、掲示板サーバ２のブログ記事の概要からブログサーバ３へのリンクが行われる。これにより、掲示板サーバ２側としても質の高いコンテンツを集めることができるとともに、ブログサーバ３側としても掲示板サーバ２からの閲覧の誘導を期待することができる。
【００３３】
図７は掲示板からブログ／詳細ページへのリンクの例を示す図であり、掲示板サーバ２の投稿一覧ページからのリンクにつき、トラックバックでの投稿の場合はブログサーバ３のブログ記事へリンクが行われ、通常の投稿の場合は掲示板サーバ２内の投稿内容詳細ページへリンクが行われる。
【００３４】
以下、より詳細に動作を説明する。
【００３５】
図８はトラックバックにかかる処理例を示すシーケンス図である。
【００３６】
図８において、ブロガーのクライアント４Ｃから掲示板サーバ２に対してトラックバックＵＲＬ生成要求を行うと（ステップＳ１０１）、掲示板サーバ２はクライアント４ＣにトラックバックＵＲＬ生成画面を返送する（ステップＳ１０２）。図９はトラックバックＵＲＬ生成画面の例を示す図であり、映画の評価を行う掲示板を例にしたものであるが、アンケート状の項目に回答する評価設定欄４１と、トラックバックＵＲＬ生成を指示するボタン４２と、生成されたトラックバックＵＲＬを表示するトラックバックＵＲＬ表示欄４３と、生成されたトラックバックＵＲＬをクリップボードへコピーすることを指示するボタン４４とが設けられている。評価設定欄４１で設定されるパラメータは投稿する掲示板の種類によってさまざまであり、事前に掲示板サーバ２側で定義する。例えば、映画のユーザレビューでは、作品全体の評価、脚本、音楽、出演者等への評価の点数をパラメータとする。
【００３７】
図８に戻り、クライアント４ＣにおいてトラックバックＵＲＬ生成画面において投稿内容（評価）を入力し（ステップＳ１０３）、トラックバックＵＲＬ生成を指示することで、投稿内容を示す掲示板パラメータを掲示板サーバ２に送信する（ステップＳ１０４）。掲示板パラメータはＨＴＭＬの<form>タグ内の<input>タグ等によって、クライアント４Ｃから掲示板サーバ２へ送られる。
【００３８】
掲示板サーバ２では、クライアント４Ｃから取得した掲示板パラメータに基づき、所定の規則に基づいて掲示板パラメータを付加したトラックバックＵＲＬを生成するとともに、ブログモジュールを取得するためのブログ埋め込み用のタグを生成し（ステップＳ１０５）、クライアント４Ｃに送信する（ステップＳ１０６）。
【００３９】
図１０はトラックバックＵＲＬの例を示す図であり、本来のトラックバックＵＲＬが（ａ）であるとすると、パラメータが一つの場合は（ｂ）のように「rate=5」等を付加し、パラメータが複数の場合は（ｃ）のように「rate=5&story=3&cast=5&music=4」等を付加する。また、改竄等を防止するため、（ｄ）のようにパラメータ部分をＣｒｙｐｔ−ＤＥＳ等により可逆暗号化して「qawsedrftgyhujikolp/azzzsxdcfvgbhnjmk」のようにすることもできる。更に、付加すべきパラメータが多くＵＲＬに付加するのが困難な場合、パラメータの内容をいったんパラメータ保存ＤＢ２８（図２）にユニークなＩＤを付して保存し、図１０（ｅ）のようにＩＤのみを「id=1234567890」のようにパラメータとして付加することもできる。
【００４０】
図１１はブログ埋め込み用のタグの例を示す図であり、ＩＦＲＡＭＥ（Inline Frame）による例であるが、ブログモジュールのＵＲＬ「http://movies.yahoo.co.jp/module/325438/module.htm」からブログモジュールを取得し、画面遷移を伴わずにブログページ内にその内容を表示するものである。なお、ＩＦＲＡＭＥに変えてＪａｖａＳｃｒｉｐｔによりタグを構成することもできる。
【００４１】
図８に戻り、掲示板サーバ２からトラックバックＵＲＬおよびブログ埋め込み用のタグを取得したブロガーは、クライアント４Ｃから自己のブログサーバ３に対してタグを埋め込んだ記事を入稿し、トラックバックＵＲＬを設定する（ステップＳ１０７）。
【００４２】
ブログサーバ３では記事をブログに反映し（ステップＳ１０８）、設定された掲示板サーバ２のトラックバックＵＲＬにトラックバックＰｉｎｇを送信する（ステップＳ１０９）。図１２はトラックバックＰｉｎｇの例を示す図であり、ＨＴＴＰのＰＯＳＴメソッドにより「title（ブログ記事のタイトル）」「url（ブログ記事のパーマリンク）」「excerpt（概要）」「blog_name（ブログ名）」を送信するものである。
【００４３】
図８に戻り、トラックバックＰｉｎｇを受信した掲示板サーバ２は、トラックバックＵＲＬのパラメータから掲示板パラメータに変換を行い（ステップＳ１１０）、「title」「url」「excerpt」「blog_name」の内容（トラックバック情報）とともに掲示板パラメータを投稿内容として掲示板ＤＢ２１に保存する（ステップＳ１１１）。掲示板パラメータへの変換に際し、図１０（ｅ）のようなＩＤを用いた場合は、パラメータ保存ＤＢ２８（図２）からＩＤに基づいてパラメータを取得し、所定の変換後に掲示板ＤＢ２１に保存する。
【００４４】
図１３はブログ閲覧時の処理例を示すシーケンス図である。
【００４５】
図１３において、ブログ閲覧者のクライアント４Ｄからブログサーバ３に対してブログ閲覧要求を行うと（ステップＳ２０１）、ブログサーバ３はクライアント４Ｄにブログページ（ＨＴＴＰ）を配信する（ステップＳ２０２）。
【００４６】
クライアント４Ｄではブログページの表示の過程で埋め込まれたタグが実行され、掲示板サーバ２にブログモジュールを要求する（ステップＳ２０３）。
【００４７】
掲示板サーバ２では、掲示板ＤＢ２１から投稿ＩＤに基づいて掲示板パラメータを取得し（ステップＳ２０４〜Ｓ２０６）、取得した掲示板パラメータからブログモジュールを生成し（ステップＳ２０７）、クライアント４Ｄに配信する（ステップＳ２０８）。これにより、クライアント４Ｄではブログページ内にブログモジュールが表示される（ステップＳ２０９）。図１４はブログ画面の例を示す図であり、ブログページ内にブログモジュール４５が表示された状態を示している。ブログモジュールは、トラックバック入稿した際のパラメータ情報がブログ側で保存されないのを補完する。
【００４８】
<総括>
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４９】
【図１】本発明の一実施形態にかかるシステムの構成例を示す図である。
【図２】掲示板サーバの構成例を示す図である。
【図３】掲示板ＤＢの例を示す図である。
【図４】パラメータ保存ＤＢの例を示す図である。
【図５】実施形態の動作概要を示す図である。
【図６】ブログから掲示板へのトラックバックおよび掲示板からブログへのリンクの例を示す図である。
【図７】掲示板からブログ／詳細ページへのリンクの例を示す図である。
【図８】トラックバックにかかる処理例を示すシーケンス図である。
【図９】トラックバックＵＲＬ生成画面の例を示す図である。
【図１０】トラックバックＵＲＬの例を示す図である。
【図１１】タグの例を示す図である。
【図１２】トラックバックＰｉｎｇの例を示す図である。
【図１３】ブログ閲覧時の処理例を示すシーケンス図である。
【図１４】ブログ画面の例を示す図である。
【符号の説明】
【００５０】
１            ネットワーク
２            掲示板サーバ
２１          掲示板ＤＢ
２１１        掲示板マスタテーブル
２１２        投稿データテーブル
２１３        投稿者テーブル
２２          掲示板投稿部
２３          トラックバックＵＲＬ／タグ生成部
２４          トラックバック受信部
２５          トラックバックＵＲＬ解析部
２６          投稿内容表示部
２７          ブログモジュール配信部
２８          パラメータ保存ＤＢ
３            ブログサーバ
４Ａ〜４Ｄ    クライアント
【図１】
2008181241.tif 000003
【図２】
2008181241.tif 000004
【図３】
2008181241.tif 000005
【図４】
2008181241.tif 000006
【図５】
2008181241.tif 000007
【図６】
2008181241.tif 000008
【図７】
2008181241.tif 000009
【図８】
2008181241.tif 000010
【図９】
2008181241.tif 000011
【図１０】
2008181241.tif 000012
【図１１】
2008181241.tif 000013
【図１２】
2008181241.tif 000014
【図１３】
2008181241.tif 000015
【図１４】
2008181241.tif 000016